(57)【要約】【課題】打こんや傷の発生を低減でき、かつ、製作コストの低減が可能なドレンパン又は断熱材を備えた空気調和装置を提供する。【解決手段】ドレンパン３１と断熱材３４とで吹出風路が構成され、この吹出風路に対応する吹出口４１が形成されると共にドレンパン３１と断熱材３４とを覆うパネル３３を備え、このパネル３３の吹出口４１からドレンパン３１と断熱材３４の一部が露出する空気調和装置１において、ドレンパン３１は、白色系の発泡ポリスチレンで形成され、吹出口４１から露出する部分に、板金製パネル３３と同色系のシート１００が装着される。また、断熱材３４は、白色系の発泡ポリスチレンで形成され、吹出口４１から露出する部分に、パネル３３と同色系のシート１０１が装着される。【選択図】      図３
2004324932.tif 000002
【特許請求の範囲】
【請求項１】
ドレンパンを覆うと共に吹出口が形成されたパネルを備え、この吹出口から少なくともドレンパンの一部が露出する空気調和装置において、前記ドレンパンは、白色系の発泡ポリスチレンで形成され、少なくとも前記吹出口から露出する部分に、前記パネルと同色系のシートが装着されて構成されることを特徴とする空気調和装置。
【請求項２】
前記シートは、前記ドレンパンの水受け部に装着されるドレンシートを兼ねることを特徴とする請求項１に記載の空気調和装置。
【請求項３】
前記ドレンパンは、当該ドレンパンの成形型に、前記シートを配置した状態で、ビーズ状の白色系のポリスチレン材料を充填して発泡成形することによって製作されることを特徴とする請求項１又は２に記載の空気調和装置。
【請求項４】
ドレンパンと断熱材とで吹出風路が構成され、この吹出風路に対応する吹出口が形成されると共にドレンパンと断熱材とを覆うパネルを備え、このパネルの吹出口から少なくとも断熱材の一部が露出する空気調和装置において、
前記断熱材は、白色系の発泡ポリスチレンで形成され、少なくとも前記吹出口から露出する部分に、前記パネルと同色系のシートが装着されて構成されることを特徴とする空気調和装置。
【請求項５】
前記断熱材は、当該断熱材の成形型に、前記シートを配置した状態で、ビーズ状の白色系のポリスチレン材料を充填して発泡成形することによって製作されることを特徴とする請求項４に記載の空気調和装置。
【請求項６】
前記シートは、厚さが０．１ｍｍ程度のシートであることを特徴とする請求項１乃至５のいずれかに記載の空気調和装置。
【請求項７】
前記シートの材質は、前記ドレンパンの材質と適合する材質であることを特徴とする請求項１乃至６のいずれかに記載の空気調和装置。
【請求項８】
前記シートの材質は、ポリスチレン又はポリエチレンであることを特徴とする請求項１乃至７のいずれかに記載の空気調和装置。
【発明の詳細な説明】
【０００１】
【発明の属する技術分野】
本発明は、空気調和装置に関する。
【０００２】
【従来の技術】
一般に、ドレンパンと断熱材とで吹出風路が構成され、この吹出風路に対応する吹出口が形成されると共にドレンパンと断熱材とを覆うパネルを備えた空気調和装置が知られている。この種のドレンパンや断熱材は、空気の吹出口から一部が露出するため、これらはパネルと同色系の塗料で着色され、又は、着色された発泡ポリスチレンを用いて製作されている（例えば、特許文献１参照）。
【０００３】
【特許文献１】
特開平１１−１０１４６７号公報
【０００４】
【発明が解決しようとする課題】
しかしながら、ドレンパンや断熱材を塗装した場合は、色むらが生じやすく、また、打こんや傷が生じると発泡ポリスチレンの地色（白色など）が出てしまうという問題がある。
【０００５】
また、ドレンパンや断熱材を着色した発泡ポリスチレンとした場合は、上記ドレンパンや断熱材を金型成形する際に使用されるビーズ自体を着色しておく必要がある。ビーズを着色するには、ポリスチレン材料に顔料を入れて押出ペレットを作成した後、この押出ペレットを粒状に発泡させてビーズを新たに作成する必要があり、安価な白色系の発泡ポリスチレンの成形部品を作成する場合に比して、製作工程が増え、コスト低減に不利な問題がある。
【０００６】
また、従来のドレンパンや断熱材は、上記したように、表面材も発泡ポリスチレンであるため、表面に打こんや傷が発生し易いという問題もある。
【０００７】
そこで、本発明の目的は、上述した従来の技術が有する課題を解消し、打こんや傷の発生を低減でき、かつ、製作コストの低減が可能なドレンパン又は断熱材を備えた空気調和装置を提供することを目的とする。
【０００８】
【課題を解決するための手段】
上述課題を解決するため、請求項１に記載の発明は、ドレンパンを覆うと共に吹出口が形成されたパネルを備え、この吹出口から少なくともドレンパンの一部が露出する空気調和装置において、前記ドレンパンは、白色系の発泡ポリスチレンで形成され、少なくとも前記吹出口から露出する部分に、前記パネルと同色系のシートが装着されて構成されることを特徴とする。この構成によれば、ドレンパンが、白色系の発泡ポリスチレンで形成され、吹出口から露出する部分にパネルと同色系のシートが装着されるので、シートによって傷や打こんが出来にくくなり、また、簡易かつ安価に製作することができる。
【０００９】
また、請求項２に記載の発明は、請求項１に記載の構成において、前記シートは、前記ドレンパンの水受け部に装着されるドレンシートを兼ねることを特徴とする。
【００１０】
また、請求項３に記載の発明は、請求項１又は２に記載の構成において、前記ドレンパンは、当該ドレンパンの成形型に、前記シートを配置した状態で、ビーズ状の白色系のポリスチレン材料を充填して発泡成形することによって製作されることを特徴とする。
【００１１】
また、請求項４に記載の発明は、ドレンパンと断熱材とで吹出風路が構成され、この吹出風路に対応する吹出口が形成されると共にドレンパンと断熱材とを覆うパネルを備え、このパネルの吹出口から少なくとも断熱材の一部が露出する空気調和装置において、前記断熱材は、白色系の発泡ポリスチレンで形成され、少なくとも前記吹出口から露出する部分に、前記パネルと同色系のシートが装着されて構成されることを特徴とする。この構成によれば、上記断熱材が、白色系の発泡ポリスチレンで形成され、吹出口から露出する部分にパネルと同色系のシートが装着されるので、シートによって傷や打こんが出来にくくなり、また、簡易かつ安価に製作することができる。
【００１２】
また、請求項５に記載の発明は、請求項４に記載の構成において、前記断熱材は、当該断熱材の成形型に、前記シートを配置した状態で、ビーズ状の白色系のポリスチレン材料を充填して発泡成形することによって製作されることを特徴とする。
【００１３】
また、請求項６に記載の発明は、請求項１乃至５のいずれかに記載の構成において、前記シートは、厚さが０．１ｍｍ程度のシートであることを特徴とする。
【００１４】
また、請求項７に記載の発明は、請求項１乃至６のいずれかに記載の構成において、前記シートの材質は、前記ドレンパンの材質と適合する材質であることを特徴とする。
【００１５】
また、請求項８に記載の発明は、請求項１乃至７のいずれかに記載の構成において、前記シートの材質は、ポリスチレン又はポリエチレンであることを特徴とする。
【００１６】
【発明の実施の形態】
以下、図面を参照して本発明の実施形態を詳述する。
【００１７】
図１は、本実施形態に係る空気調和装置１の側断面図であり、図２は、空気調和装置１の平面図である。
【００１８】
この空気調和装置１は、天井から吊り下げられた吊りボルト３に引っかけられて室内天井板５の下面に設置されている。空気調和装置１には、電装箱１１、送風機１３、熱交換器１５、冷媒配管２９等の各種機器類が殆ど隙間なく収納されている。送風機１３は、図２に示すように、４台の送風機ユニット２１〜２４からなり、これらは一台のモータ２５で駆動される回転軸２７に配置される。
【００１９】
熱交換器１５は、フィン・チューブ型の熱交換器が適用され、空気調和装置１内に斜めに設置される。この熱交換器１５には、冷媒配管２９が接続され、この冷媒配管２９は、空気調和装置１の外に導出され、室外機（図示せず）の圧縮機、減圧装置、室外熱交換器等に接続される。
【００２０】
図１に示すように、この熱交換器１５の下方には、発泡ポリスチレン製のドレンパン３１が設置される。ドレンパン３１の水受け部３１ａには、水漏れ防止及び強度向上のために真空成形品のドレンシート（不図示）が設けられている。この水受け部３１ａには、図２に示すようにフレキシブルチューブ３２を介してドレンポンプユニット３５が接続され、このドレンポンプユニット３５に収容されたドレンポンプは、水受け部３１ａに収集されたドレンを吸い上げて空気調和装置１の外に排出する。
【００２１】
また、この空気調和装置１の下面及び側面には、図１に示すように、板金製パネル（いわゆる化粧パネル）３３が配置されている。より具体的には、この板金製パネル３３には、熱交換器１５の側方に、吹出口４１として機能する開口が形成されると共に、送風機１３の下方に、吸込口４２として機能する開口が形成され、この吸込口４２には、空気清浄用フィルタ３９が取り付けられた吸込グリル３７が脱着可能に装着されている。
【００２２】
図３は、空気調和装置１の吹出口４１の周辺構成を示す側断面図である。
【００２３】
この板金製パネル３３の吹出口４１の内側上方には、発泡ポリスチレン製の断熱材３４が配設され、この断熱材３４とドレンパン３１とによって吹出風路が構成されている。
【００２４】
送風機１３は、吸込口４２の吸込グリル３７及び空気清浄用フィルタ３９を通じて室内の空気を空気調和装置１内に吸い込み、この空気を、断熱材３４とドレンパン３１とによって構成された吹出風路を通して吹出口４１から吹き出す。これによって、空気調和装置１の内部に吸い込まれた空気は、熱交換器１５で熱交換された後に、吹出口４１を通じて室内に吹き出される。なお、４３は、空気調和装置１の略中央を横断的に仕切る中仕切板である。
【００２５】
また、この空気調和装置１においては、図３に示すように、吹出口４１の内部に、風向変更用の横羽根６１および縦羽根６３が設けられ、これにより、吹出口４１を通じて室内に吹き出される空気の風向きを適宜調整することが可能となっている。
【００２６】
ところで、この空気調和装置１においては、吹出口４１から、ドレンパン３１の前部領域３１ｂと、断熱材３４の下面３４ｂとが外部に露出する。本実施形態では、この露出する部分が目立たないように、ドレンパン３１と断熱材３４とに、板金製パネルと略同色のシート１００が装着されることを特徴としている。
【００２７】
図４は、ドレンパン３１の斜視図であり、図５は、このドレンパン３１のシート１００の装着位置を示す図である。図４及び図５に示すように、ドレンパン３１は、吹出口４１側に位置にする前部領域３１ｂの端面及び上面を覆うように、板金製パネル３３と略同色に着色されたシート１００が装着される。このシート１００は、ドレンパン３１の材質と適合する材質のシートが適用され、本実施形態では、ある程度の強度を維持できる厚さ（例えば、０．１ｍｍ程度）のポリスチレン又はポリエチレンからなるシートが適用される。ドレンパン３１は、このシート１００によって強度が上がり、傷や打こんが出来にくくなり、取り扱いが容易となる。なお、このシート１００は、接着材などによってドレンパン３１に貼付してもよいが、本実施形態では熱圧着によって貼付される、
具体的には、このドレンパン３１は、ドレンパン３１の成形型の所定位置に、上記シート１００を配置し、この状態で、発泡材を配合したビーズ状の白色系のポリスチレン材を充填して発泡成形することによって製造される。これにより、上記シート１００をドレンパン３１に簡易に熱圧着することができる。このように、本実施形態のドレンパン３１は、安価な白色系の発泡ポリスチレンを用い、かつ、ドレンパン３１の成形型に予めシート１００を配置して発泡成形するだけで製作することができるので、外部に露出する部分が板金製パネル３３と略同色に着色されたドレンパン３１を簡易かつ安価に製作することができる。また、白色系のポリスチレンを用いることにより、着色されたポリスチレンを用いる場合と比較して、発泡倍率が約２０倍から約３０倍に上がり、材料費を低減することができる。さらに、シート１００そのものが着色されているため、色むらや色のばらつきが生じるといった不具合についてもほぼ解消することができ、不良率を低減することができる。
【００２８】
また、断熱材３４についても、図３に示すように、下面３４ｂ全体を覆うように、上記シート１００と同様のシート１０１が熱圧着によって装着される。具体的には、この断熱材３４は、断熱材３４の成形型の所定位置に、厚さ０．１ｍｍ程度のポリスチレン又はポリエチレンからなるシート１０１を配置しておき、この状態で、発泡材を配合したビーズ状の白色系のポリスチレン材を充填して発泡成形することにより製作される。これにより、外部に露出する部分が色つきの断熱材３４を簡易かつ安価に製作することができる。また、このシート１０１によって断熱材３４の強度が上がるため、傷や打こんが生じにくくなり、断熱材３４の取り扱いが容易となり、また、色むらや色のばらつきもほぼ解消することができ、不良率を低減することができる。
【００２９】
以上、一実施形態に基づいて本発明を説明したが、本発明はこれに限定されるものではない。例えば、上記シート１００、１０１を装着する位置は上記位置に限定されず、本発明の趣旨を逸脱しない範囲で変更が可能である。
【００３０】
また、ドレンパン３１に装着されるシート１００を、ドレンパン３１の前部領域３１ｂに加えて水受け部３１ａについても覆うように構成してもよい。すなわち、上記シート１００がドレンシートを兼ねるようにしてもよい。
【００３１】
【発明の効果】
打こんや傷の発生を低減でき、かつ、製作コストの低減が可能なドレンパン及び断熱材を備えた空気調和装置を提供することができる。
【図面の簡単な説明】
【図１】本発明による空気調和装置の一実施形態を示す側断面図である。
【図２】同空気調和装置の平面図である。
【図３】同空気調和装置の吹出口の周辺構成を示す側断面図である。
【図４】同空気調和装置のドレンパンの斜視図である。
【図５】同空気調和装置のドレンパンの説明に供する図である。
【符号の説明】
１  空気調和装置
１１  電装箱
１３  送風機
１５  熱交換器
３１  ドレンパン
３１ｂ  前部領域
３３  板金製パネル
３４  断熱材
４１  吹出口
４２  吸込口
１００、１０１  シート
【図１】
2004324932.tif 000003
【図２】
2004324932.tif 000004
【図３】
2004324932.tif 000005
【図４】
2004324932.tif 000006
【図５】
2004324932.tif 000007